(57)【要約】【課題】カメラなどの検出手段を備える必要なしに、建物のセキュリティ管理された入口付近に滞留する利用者に紛れた不審者の侵入を防止することのできる入退室管理システムを提供する。【解決手段】入退室管理システムは、読取装置としてのカードリーダ３と、認証装置としての監視コントローラ４と、表示手段としての照明装置６とを備える。カードリーダ３は、特定の領域を読取可能範囲７として設けられ、当該読取可能範囲７内を通行する建物の利用者２が携帯するタグ８に記憶されたＩＤデータを無線通信を利用して読み取る装置である。監視コントローラ４は、カードリーダ３により読み取られたＩＤデータに基づいてタグ８を認証する装置である。照明装置６は、特定のタグ３が監視コントローラ４によって所定時間を越えて継続的に認証された場合に、利用者２に対して読取可能範囲７内での滞留についての警告を促すために、照明の色を変更する。【選択図】図１
2015011451.tif 000002
【特許請求の範囲】
【請求項１】
特定の領域を読取可能範囲として設けられ、当該読取可能範囲内を通行する建物の利用者が携帯する個人識別媒体に記憶された個人識別情報を無線通信を利用して読み取る読取装置と、
前記読取装置により読み取られた個人識別情報に基づいて前記個人識別媒体を認証する認証装置と、
特定の個人識別媒体が前記認証装置によって所定時間を越えて継続的に認証された場合に、利用者に対して前記読取可能範囲内での滞留についての警告を促す表示を行う表示手段と、
を備えた入退室管理システム。
【請求項２】
前記表示手段は、照明装置を備え、特定の個人識別媒体が前記認証装置によって前記所定時間を越えて継続的に認証されたか否かに応じて、前記照明装置による照明の態様を変更する請求項１に記載の入退室管理システム。
【請求項３】
前記照明装置による照明の態様の変更は、照明の色の変更である請求項２に記載の入退室管理システム。
【請求項４】
前記照明装置による照明の態様の変更は、照明の照度の変更である請求項２または３に記載の入退室管理システム。
【発明の詳細な説明】
【技術分野】
【０００１】
この発明は、オフィスビルやマンションなどの建物への利用者の入退室を管理する入退室管理システムに関するものである。
【背景技術】
【０００２】
例えば、特許文献１には、個人識別媒体として無線ＩＤチップ（ＲＦＩＤ）が埋め込まれたＩＤカードを利用する入退室管理システムが開示されている。この従来の入退室管理システムでは、不審者の入室を防止するために、利用者が通過する入口通路に設けられた設定エリア内においてカメラの撮影画像を用いて計数した利用者数とＩＤカードを用いた認証情報を利用して計数した（通行可のみ）利用者数とを比較し、不一致のときに不審者ありと判定するようにしている。
【先行技術文献】
【特許文献】
【０００３】
【特許文献１】特開２００７−１９３５５８号公報
【発明の概要】
【発明が解決しようとする課題】
【０００４】
しかしながら、上記特許文献１に記載の構成は、ＩＤカードを用いた認証を行う認証装置以外に、カメラまたは熱検出を行う人感センサーなどの検出手段を必要とする。また、セキュリティ管理された扉の付近に不審者が留まっていても、利用者は不審者の存在に気づくことなく通行することになる。
【０００５】
この発明は、上述のような課題を解決するためになされたものである。この発明の目的は、カメラなどの検出手段を備える必要なしに、建物のセキュリティ管理された入口付近に滞留する利用者に紛れた不審者の侵入を防止することのできる入退室管理システムを提供することである。
【課題を解決するための手段】
【０００６】
この発明に係る入退室管理システムは、特定の領域を読取可能範囲として設けられ、当該読取可能範囲内を通行する建物の利用者が携帯する個人識別媒体に記憶された個人識別情報を無線通信を利用して読み取る読取装置と、読取装置により読み取られた個人識別情報に基づいて個人識別媒体を認証する認証装置と、特定の個人識別媒体が認証装置によって所定時間を越えて継続的に認証された場合に、利用者に対して読取可能範囲内での滞留についての警告を促す表示を行う表示手段と、を備えたものである。
【発明の効果】
【０００７】
この発明に係る入退室管理システムによれば、カメラなどの検出手段を備える必要なしに、建物のセキュリティ管理された入口付近に滞留する利用者に紛れた不審者の侵入を防止することができるようになる。
【図面の簡単な説明】
【０００８】
【図１】この発明の実施の形態１における入退室管理システムの構成を模式的に示す図である。
【図２】利用者が読取可能範囲内に入ってから所定時間が経過した時の入退室管理システムの動作を示す図である。
【図３】図２に示す利用者（滞留者）が読取可能範囲から外に出た時の入退室管理システムの動作を示す図である。
【発明を実施するための形態】
【０００９】
この発明を実施するための形態について添付の図面に従って説明する。各図中、同一又は相当する部分には同一の符号が付される。当該部分の重複説明は適宜に簡略化ないし省略される。
【００１０】
実施の形態１．
図１は、この発明の実施の形態１における入退室管理システム１の構成を模式的に示す図である。入退室管理システム１は、オフィスビルやマンションなどの建物への利用者２の入退室を管理するものである。入退室管理システム１がセキュリティ管理を行って施開錠を制御する建物の入口扉（図示省略）の付近には、図１に示すように、カードリーダ（読取装置）３、監視コントローラ（認証装置）４、滞留者情報記録部５および照明装置（表示手段）６が備えられている。
【００１１】
カードリーダ３は、建物の入口扉付近の特定の領域を読取可能範囲７として、当該入口扉付近の天井に設けられている。カードリーダ３は、ここでは無線タグリーダであり、読取可能範囲７内を通行する建物の利用者が携帯するタグ（個人識別媒体）８に記憶されたＩＤデータ（個人認識情報）を無線通信を利用して読み取る（受信する）ための装置である。タグ８には、無線によってＩＤデータを発信する無線ＩＤチップ（ＲＦＩＤ）が埋め込まれている。
【００１２】
監視コントローラ４は、カードリーダ３により読み取られたＩＤデータに基づいてタグ８の認証を行う装置である。滞留者情報記録部５は、監視コントローラ４からの指令に基づいて、入口扉付近に滞留する利用者（滞留者）の情報を記録する。照明装置６は、入口扉付近の天井に設けられており、監視コントローラ４からの指令に応じた色で発光する装置である。
【００１３】
次に、図１に加えて図２および図３をも参照して、上記構成を有する入退室管理システム１の動作について説明する。図２は、利用者２が読取可能範囲７内に入ってから所定時間が経過した時の入退室管理システム１の動作を示す図であり、図３は、図２に示す利用者（滞留者）２が読取可能範囲７から外に出た時の入退室管理システム１の動作を示す図である。
【００１４】
照明装置６の発色は、通常時（読取可能範囲７内に滞留者がいない場合）には、一例として白色とされている。カードリーダ３は、所定の読取周期毎にタグ８のＩＤデータの読み取りを試みている。図１に示すように利用者２が読取可能範囲７内に入ったことによってカードリーダ３がＩＤデータを受信した場合には、監視コントローラ４は、受信したＩＤデータが滞留者情報記録部５に記録されているか否かを確認する。その結果、記録されていなければ、監視コントローラ４は、ＩＤデータと当該ＩＤデータを受信した時刻とを滞留者情報記録部５に記録する。
【００１５】
あるＩＤデータを受信した際に同一のＩＤデータが滞留者情報記録部５に記録されていた場合には、監視コントローラ４は、当該ＩＤデータと一緒に登録されているＩＤデータ受信時刻（最初に記録した時の時刻）と今回の受信時刻とを比較して、当該ＩＤデータの記録開始時点から所定時間（滞留判定時間ｎ）が経過しているか否かを確認する。その結果、経過時間が滞留判定時間ｎを超えている場合には、監視コントローラ４は、読取可能範囲７内に滞留する利用者（滞留者）２が居ると判定し、図２に示すように、照明装置６による発色を白色から赤色（一例）に変更する。なお、入退室管理システム１の各利用者２には、正規の利用者２が所定時間を越えて読取可能範囲７に滞留した場合には照明装置６が赤色で発光するということと、その場合には読取可能範囲７から速やかに離れることが要求されるということとが事前に告知され、各利用者２はそのことを認知しているものとする。
【００１６】
一方、カードリーダ３がＩＤデータの読み取りを行った際に滞留者情報記録部５にあるものと同じＩＤデータを受信しなかった場合には、監視コントローラ４は、利用者２が読取可能範囲７から外に出たと判定し、当該利用者２のＩＤデータを滞留者情報記録部５から削除する。そして、この場合には、監視コントローラ４は、図３に示すように、照明装置６による発色を赤色から白色（滞留者なしの場合に用いる色）に変更する。また、監視コントローラ４は、受信したすべてのＩＤデータの利用者２の滞留時間が滞留判定時間ｎを経過していない場合、または、受信したすべてのＩＤデータに関する記録が滞留者情報記録部５に１件も存在しない場合には、滞留者が読取可能範囲７内に存在しないと判定する。この場合の照明装置６による照明は、白色とされる。
【００１７】
上記のように、本実施形態の入退室管理システム１によれば、特定のＩＤデータが監視コントローラ４によって所定時間（滞留判定時間ｎ）を越えて継続的に認証されたか否か（すなわち、滞留判定時間ｎを越えて読取可能範囲７内に滞留する利用者２が居ると判断できるか否か）に応じて、照明装置６による照明の態様（ここでは、白色と赤色との間（一例）での色の種類）が変更される。これにより、読取可能範囲７内に長く滞留する利用者２に対して、その滞留についての警告を促すことができる。
【００１８】
以上のように、本実施形態に係る入退室管理システム１によれば、カメラや人感センサーなどの別の検出手段を用意することなく、読取可能範囲７内に長く滞留する利用者２の有無を判定することができる。そして、滞留者が居ると判断された場合には、読取可能範囲７内に居る利用者２には入口扉の通行の意思が無いものと判断され、照明装置６による照明の態様が変更される。これにより、滞留する利用者２本人に対して滞留があったことを気づかせて入口扉付近から離れるように促すことができ、読取可能範囲７内での不用意な滞留を防ぐことができる。このように、入口扉付近に滞留者がいなくなるようにすることができるので、入口扉付近に滞留する利用者に紛れた不審者の侵入を防止できるようになる。
【００１９】
また、本実施形態に係る入退室管理システム１によれば、タグ８を携帯していない不審な滞留者が読取可能範囲７内に居る場合には照明の態様に変化がないため、利用者２は、遠くから目視で不審者が居ることを判断することができ、不審な滞留者に不用意に近づくことを回避することができる。さらに、入退室管理システム１によれば、滞留者自身にセキュリティエリア内に滞留していることを認識させることで、第三者による警告の負担を軽減することもできる。
【００２０】
ところで、上述した実施の形態１においては、特定のＩＤカードが監視コントローラ４によって所定時間（滞留判定時間ｎ）を越えて継続的に認証されたか否かに応じて、照明装置６による照明の色を白色と赤色との間で変更することとしている。しかしながら、本発明における表示手段（照明装置６）による照明の態様の変更は、色の変更に限らない。すなわち、例えば、色の変更とともに、或いはそれに代えて、照度の変更を行うものであってもよい。また、照明の態様の上記変更は、照明の点滅の有無の変更などであってもよい。
【符号の説明】
【００２１】
１  入退室管理システム、  ２  利用者、  ３  カードリーダ（読取装置）、  ４  監視コントローラ（認証装置）、  ５  滞留者情報記録部、  ６  照明装置（表示手段）、  ７  読取可能範囲、  ８  タグ
【図１】
2015011451.tif 000003
【図２】
2015011451.tif 000004
【図３】
2015011451.tif 000005